(57)【要約】【課題】個人情報の漏洩のリスクを抑えつつ迷子等の事実を安全に通報することができるシステムを提供することにある。【解決手段】迷子等通報システム１００において、情報処理装置３は、サーバ装置１を特定する特定情報１Ａをコード化した第１画像５Ａが印刷され且つ上記個人に貼付されているシール５から、第１画像５Ａを画像入力部３３に読み取らせる。情報処理装置３は、第１画像５Ａから特定情報１Ａを取得して、特定情報１Ａを用いてサーバ装置１にアクセスする。サーバ装置１は、情報処理装置３によるアクセスに応答して記憶部１１に予め記憶されている個人の名前１１１Ａ及び電話番号１１１Ｃを情報処理装置３に送信する。情報処理装置３は電話番号１１１Ｃを用いて発呼する。【選択図】図５
2020184731.tif 000002
【特許請求の範囲】
【請求項１】
サーバ装置及び情報処理装置が互いに通信可能な迷子等通報システムであって、
上記サーバ装置は、記憶部、及び第１制御部を備え、
上記情報処理装置は、画像を読み取る画像入力部、及び第２制御部を備え、
上記記憶部には、個人の名前及び上記個人の保護者の電話番号が記憶され、
上記第２制御部は、
上記サーバ装置を特定する特定情報をコード化した第１画像が印刷され且つ上記個人に貼付されているシールから、上記第１画像を上記画像入力部に読み取らせる読み取り処理と、
上記読み取り処理で読み取られた上記第１画像から上記特定情報を取得する取得処理と、
上記取得処理で取得された上記特定情報を用いて上記サーバ装置にアクセスするアクセス処理とを実行し、
上記第１制御部は、
上記情報処理装置によるアクセスに応答して上記個人の名前及び上記電話番号を上記記憶部から読み出す読み出し処理と、
上記読み出し処理で読み出された上記個人の名前及び上記電話番号を上記情報処理装置に送信する第１送信処理を実行し、
上記第２制御部は、上記第１送信処理で送信された上記電話番号を用いて発呼する発呼処理を実行する迷子等通報システム。
【請求項２】
サーバ装置及び情報処理装置が互いに通信可能な迷子等通報システムであって、
上記サーバ装置は、記憶部、及び第１制御部を備え、
上記情報処理装置は、画像を読み取る画像入力部、及び第２制御部を備え、
上記記憶部には、個人の名前及び上記個人の保護者の電話番号が記憶され、
上記第２制御部は、
上記サーバ装置を特定する特定情報をコード化した第１画像が印刷され且つ上記個人に貼付されているシールから、上記第１画像を上記画像入力部に読み取らせる読み取り処理と、
上記読み取り処理で読み取られた上記第１画像から上記特定情報を取得する取得処理と、
上記取得処理で取得された上記特定情報を用いて上記サーバ装置にアクセスするアクセス処理とを実行し、
上記第１制御部は、
上記情報処理装置によるアクセスに応答して上記個人の名前及び上記電話番号を上記記憶部から読み出す読み出し処理と、
上記読み出し処理で読み出された上記電話番号を用いて発呼する発呼処理を実行する迷子等通報システム。
【請求項３】
上記記憶部には、上記保護者の名前及び電子メールアドレスが記憶され、
上記第１制御部は、
上記読み出し処理において上記電子メールアドレスを上記記憶部から読み出し、
上記読み出し処理で読み出された上記電子メールアドレスを用いて電子メールを送信する第２送信処理を実行する請求項１又は２に記載の迷子等通報システム。
【請求項４】
個人情報が記録される第１主面、当該第１主面と反対側の第２主面、及び当該第２主面に形成された第１接着層を有するシート状の第１基材と、
不透明に着色された第３主面、当該第３主面と反対側の第４主面、及び当該第４主面に形成された第２接着層を有するシート状の第２基材と、
上記第１接着層及び上記第２接着層に対する剥離性を有する一方面及び他方面が設けられ、当該一方面及び当該他方面にそれぞれ上記第１接着層及び上記第２接着層が接着しているセパレータとを備えるシール。
【発明の詳細な説明】
【技術分野】
【０００１】
この発明は、公園、テーマパーク等における迷子や人込みで仲間にはぐれた人を安全に通報するシステム、及び迷子等の通報に用いられるシールに関するものである。
【背景技術】
【０００２】
テーマパークなどでは、子供が保護者を見失って離れ離れになることが珍しくなく、また大人であっても人込みで仲間にはぐれてしまうことがある。一般にテーマパークの敷地は広大であり、多くの人が集まるので、特に子供が一旦迷子になると、保護者と再会するのが困難になる。従来、このような迷子や仲間にはぐれた人を保護するため、身元を確認するためのシールが採用されている（たとえば特許文献１参照）。
【先行技術文献】
【特許文献】
【０００３】
【特許文献１】特開２００２−８２６１９号公報
【発明の概要】
【発明が解決しようとする課題】
【０００４】
従来のシールは、あらかじめ迷子になりそうな子供等（対象者）の衣服の目立つ部位に取り付けられ、このシールの裏面に対象者の名前、連絡先電話番号等が記載されるようになっている。
【０００５】
ところで、このシールは、対象者が迷子等になったときに活用されるものであるから、確実に衣服に固定されていなければならない。そのため、このシールの構造は、ある程度重厚なものとならざるを得ず、重く、不格好なものであった。
【０００６】
しかも、対象者を特定する個人情報がシールにそのまま記載されていることは、たとえ迷子等の緊急時の活用を想定したとしても、それらの漏洩や他人による悪用のリスクは小さいとは言えなかった。
【０００７】
本発明はかかる背景のもとになされたものであって、その目的は、個人情報の漏洩のリスクを抑えつつ迷子等の事実を安全に通報することができるシステム及びシールを提供することである。
【課題を解決するための手段】
【０００８】
(1) 本発明に係る迷子等通報システムは、サーバ装置及び情報処理装置が互いに通信可能なシステムであって、上記サーバ装置は、記憶部、及び第１制御部を備え、上記情報処理装置は、画像を読み取る画像入力部、及び第２制御部を備えている。上記記憶部には、個人の名前及び上記個人の保護者の電話番号が記憶されている。上記第２制御部は、上記サーバ装置を特定する特定情報をコード化した第１画像が印刷され且つ上記個人に貼付されているシールから、上記第１画像を上記画像入力部に読み取らせる読み取り処理と、上記読み取り処理で読み取られた上記第１画像から上記特定情報を取得する取得処理と、上記取得処理で取得された上記特定情報を用いて上記サーバ装置にアクセスするアクセス処理とを実行する。上記第１制御部は、上記情報処理装置によるアクセスに応答して上記個人の名前及び上記電話番号を上記記憶部から読み出す読み出し処理と、上記読み出し処理で読み出された上記個人の名前及び上記電話番号を上記情報処理装置に送信する第１送信処理を実行する。上記第２制御部は、上記第１送信処理で送信された上記電話番号を用いて発呼する発呼処理を実行する。
【０００９】
この構成では、個人に貼付されるシールには、特定情報をコード化した第１画像が印刷される。そのため、個人の周囲にいる者がシールを見ただけで個人情報を認識することを防止することができる。また、情報処理装置は、第１画像に基づいて、個人の保護者の電話番号に発呼できる。そのため、シールが貼付された個人が迷子等になった場合には、情報処理装置は、その事実を保護者に安全に通報することができる。
【００１０】
(2) 本発明に係る迷子等通報システムは、サーバ装置及び情報処理装置が互いに通信可能な迷子等通報システムであって、上記サーバ装置は、記憶部、及び第１制御部を備え、上記情報処理装置は、画像を読み取る画像入力部、及び第２制御部を備えている。上記記憶部には、個人の名前及び上記個人の保護者の電話番号が記憶されている。上記第２制御部は、上記サーバ装置を特定する特定情報をコード化した第１画像が印刷され且つ上記個人に貼付されているシールから、上記第１画像を上記画像入力部に読み取らせる読み取り処理と、上記読み取り処理で読み取られた上記第１画像から上記特定情報を取得する取得処理と、上記取得処理で取得された上記特定情報を用いて上記サーバ装置にアクセスするアクセス処理とを実行する。上記第１制御部は、上記情報処理装置によるアクセスに応答して上記個人の名前及び上記電話番号を上記記憶部から読み出す読み出し処理と、上記読み出し処理で読み出された上記電話番号を用いて発呼する発呼処理を実行する。
【００１１】
この構成では、個人に貼付されるシールには、特定情報をコード化した第１画像が印刷される。そのため、個人の周囲にいる者がシールを見ただけで個人情報を認識することができない。これにより、個人情報の漏洩を防止することができる。また、サーバ装置は、情報処理装置により送信される第１画像に基づいて、個人の保護者の電話番号に発呼できる。そのため、シールが貼付された個人が迷子等になった場合には、サーバ装置は、その事実を保護者に安全に通報することができる。
【００１２】
(3) 上記迷子等通報システムにおいて、上記記憶部には、上記個人の保護者の電子メールアドレスが記憶されている。上記第１制御部は、上記読み出し処理において上記電子メールアドレスを上記記憶部から読み出し、上記読み出し処理で読み出された上記電子メールアドレスを用いて電子メールを送信する第２送信処理を実行する。
【００１３】
この構成では、保護者宛ての電子メールが更に送信されるため、シールが貼付された個人が迷子等になった場合には、サーバ装置は、その事実を保護者により確実に通報することができる。
【００１４】
(4)  本発明に係るシールは、個人情報が記録される第１主面、当該第１主面と反対側の第２主面、及び当該第２主面に形成された第１接着層を有するシート状の第１基材と、不透明に着色された第３主面、当該第３主面と反対側の第４主面、及び当該第４主面に形成された第２接着層を有するシート状の第２基材と、上記第１接着層及び上記第２接着層に対する剥離性を有する一方面及び他方面が設けられ、当該一方面及び当該他方面にそれぞれ上記第１接着層及び上記第２接着層が接着しているセパレータとを備える。
【００１５】
この構成によれば、迷子等の事実を安全に通報することができるシールを小型化できる。
【発明の効果】
【００１６】
この発明によれば、個人情報の漏洩のリスクを抑えつつ迷子等の事実を安全に通報することができるシステム及びシールを提供することができる。
【図面の簡単な説明】
【００１７】
【図１】図１は、迷子等通報システム１００の構成を示す模式図である。
【図２】図２は、図１に示されるサーバ装置１の構成を示すブロック図である。
【図３】図３は、図１に示される情報処理装置２、３の構成を示すブロック図である。
【図４】図４は、迷子等通報システム１００で用いられるシール５の構造を示す図であり、（Ａ）は、シール５の断面図であり、（Ｂ）は、シール５の上面図であり、（Ｃ）はシール５の底面図である。
【図５】図５は、個人情報の登録時における迷子等通報システム１００の処理を示すフローチャートである。
【図６】図６は、迷子等通報システム１００で用いられる表示画面を示す模式図であり、（Ａ）は、入力画面６１の一例を示し、（Ｂ）は、入力画面６２の一例を示し、（Ｃ）は、通報画面６３の一例を示す。
【図７】図７は、迷子発見時における迷子等通報システム１００の処理を示すフローチャートである。
【図８】図８は、迷子発見時における迷子等通報システム１００の処理の第１変形例を示すフローチャートである。
【図９】図９は、迷子等通報システム１００で用いられるシール５の変形例の構造を示す図である。
【図１０】図８は、迷子発見時における迷子等通報システム１００の処理の第２変形例を示すフローチャートである。
【図１１】図１１、シール５の変形例を示す図であり、（Ａ）は、シール５の上面図であり、（Ｂ）はシール５の底面図である。
【発明を実施するための形態】
【００１８】
以下、本発明の好ましい実施形態が、適宜図面が参照されつつ説明される。なお、本実施の形態は、本発明に係る迷子等通報システム及びシールの一態様にすぎず、本発明の要旨を変更しない範囲で実施態様が変更されてもよいことは言うまでもない。
【００１９】
［迷子等通報システム１００の全体構成］
図１に示されるように、迷子等通報システム１００は、サーバ装置１、情報処理装置２、３を備えている。サーバ装置１は、情報処理装置２、３と通信ネットワーク４を介して双方向に通信可能に接続されている。情報処理装置３は、本発明における情報処理装置の一例である。
【００２０】
［サーバ装置１の構成］
サーバ装置１は、迷子等通報システム１００によるサービスの提供者により管理される。提供者は、例えば、公園、テーマパーク等（以下、外出先等と称する）における迷子や人込みで仲間にはぐれた人を他の人に通報するサービスを提供している。
【００２１】
図２に示されるように、サーバ装置１には、特定情報１Ａが割り当てられている。特定情報１Ａは、通信ネットワーク４上でサーバ装置１を特定するための情報であり、具体的には、ＵＲＬである。サーバ装置１は、記憶部１１、通信部１２、電話通信部１４、及び制御部１３を備えている。記憶部１１は、ハードディスクドライブ及び半導体メモリー等の不揮発性記憶装置である。記憶部１１には、複数の個人情報１１１が予め定められている対応情報１１２に対応付けられて記憶されている。各個人情報１１１は、個人の名前１１１Ａ、連絡を必要とする者（以下、要連絡者と称する）の名前１１１Ｂ、電話番号１１１Ｃ、及び電子メールアドレス１１１Ｄを含む。個人とは、外出先等で迷子になる可能性がある子供や人込みで仲間からはぐれる可能性のある人である。要連絡者は、保護者や仲間の代表者等である。電話番号１１１Ｃ及び電子メールアドレス１１１Ｄは、要連絡者が使用する携帯電話やスマートフォンに割り当てられている電話番号及び電子メールアドレスである。対応情報１１２は、対応する個人情報１１１を制御部１３が特定可能な情報である。対応情報１１２は、複数の個人情報１１１の間で重複しない情報であり、例えば連続番号を示す。
【００２２】
通信部１２は、通信インターフェイス装置である。通信部１２は、制御部１３により送信されるデータ又は情報を通信ネットワーク４に送出する。通信部１２は、通信ネットワーク４を通じてサーバ装置１に送信されてくるデータ又は情報を受信し、制御部１３に送信する。
【００２３】
電話通信部１４は、制御部１３から自動音声案内により出力された音声信号を公衆回線（図示せず）に送出する。
【００２４】
制御部１３は、ＲＯＭ、ＣＰＵ及びＲＡＭを備えている。ＲＯＭには、サーバ装置１の処理を記述したプログラムが予め記憶されている。ＣＰＵは、ＲＯＭ内のプログラムをＲＡＭを用いて実行して、サーバ装置１の動作を制御する。
【００２５】
［情報処理装置２、３の構成］
図１において、情報処理装置２、３は、携帯電話やスマートフォンである。情報処理装置２は、要連絡者により使用される。なお、子供は、本発明における個人の一例である。情報処理装置３は、迷子の発見者により使用される。
【００２６】
図３に示されるように、情報処理装置２，３は、大略的には互いに同じ構成を有している。即ち、情報処理装置２、３は、通信部２１、３１，操作表示部２２、３２、画像入力部２３、３３、音声入力部２５、３５、音声出力部２６、３６、電話通信部２７、３７、及び制御部２４、３４をそれぞれ備えている。
【００２７】
通信部２１、３１はそれぞれ、通信インターフェイス装置である。通信部２１、３１は、制御部２４、３４により送信されるデータ又は情報を通信ネットワーク４に送出する。通信部２１、３１は、通信ネットワーク４を通じて情報処理装置２，３に送信されてくるデータ又は情報を受信し、制御部２４、３４にそれぞれ送信する。
【００２８】
操作表示部２２、３２のそれぞれは、ディスプレイ及びタッチセンサを有している。操作表示部２２、３２は、制御部２４、３４から送信されてくる各種画面をディスプレイに表示する。タッチセンサは、ディスプレイ上に配置されており、情報処理装置２、３のユーザによりタッチ操作される。操作表示部２２、３２、タッチセンサにおいてタッチ操作された位置を示す情報を制御部２４、３４にそれぞれ送信する。
【００２９】
画像入力部２３，３３は、カメラ装置であり、視野範囲内の画像を表す画像データを生成して制御部２４，３４にそれぞれ送信する。
【００３０】
音声入力部２５、３５は、マイクロフォンである。音声入力部２５、３５には、情報処理装置２，３のユーザの音声が入力される。音声入力部２５、３５は、入力音声を音声信号に変換して制御部２４、３４にそれぞれ出力する。
【００３１】
音声出力部２６、３６は、スピーカーである。音声出力部２６、３６には、制御部２４、３４から出力された音声信号が入力される。音声出力部２６、３６は、入力音声信号が表す音声を出力する。
【００３２】
電話通信部２７、３７には、制御部２４、３４から出力された音声信号を公衆回線（図示せず）に送出する。また、電話通信部２７、３７は、公衆回線を通じて音声信号を受信し制御部２４、３４に送信する。
【００３３】
制御部２４、３４は、ＲＯＭ、ＣＰＵ及びＲＡＭを備えている。制御部２４、３４のＲＯＭには、情報処理装置２、３の処理を記述したプログラムがそれぞれ記憶されている。制御部２４、３４のＣＰＵは、ＲＯＭ内のプログラムをＲＡＭを用いてそれぞれ実行して、情報処理装置２、３の動作を統括的に制御する。
【００３４】
［迷子等通報システム１００の動作］
上記構成を有する迷子等通報システム１００の動作について詳説する。
【００３５】
まず、例えば、保護者は、自分の子供が外出先等に出かける前に、サービス提供者により配布されたシール５を受け取る。図４に示されるように、シール５は、厚さ方向７に薄く且つ縦方向８及び横方向９の所定サイズを有するシート状の形状を有している。図４（Ｂ）、図４（Ｃ）に示されるように、シール５は厚さ方向７からの平面視で矩形形状を有する。シール５は、配布時においては、第１基材５１、粘着剤５２、セパレータ５３、粘着剤５４及び第２基材５５を備えている。第１基材５１、セパレータ５３、及び第２基材５５は、厚さ方向７に薄く且つ縦方向８及び横方向９に拡がるシート状の形状を有している。第１基材５１、セパレータ５３、及び第２基材５５は、縦方向８及び横方向９において第１基材５１と同じサイズを有している。
【００３６】
第１基材５１及び粘着剤５２は、例えばユポタックである。
【００３７】
第１基材５１は、紙又は樹脂製のフィルム等で構成できる。第１基材５１の第１主面５１Ａには、カラー印刷、オフセット印刷、バリアブル印刷等により、第１画像５Ａ及び第２画像５Ｂが印刷により記録されている（図４（Ｂ）参照）。第１画像５Ａは、特定情報１Ａ（図２参照）を所定の符号化方式に従ってコード化した画像である。符号化方式としては、ＱＲコード（登録商標）符号化方式がある。即ち、第１画像５Ａは、特定情報１Ａをマトリックス型二次元コードに変換した画像である。第２画像５Ｂは、対応情報１１２を表す画像である。なお、第１主面５１Ａは、本発明の第１主面の一例であり、第１画像５Ａは、本発明の個人情報の一例である。
【００３８】
粘着剤５２は、第１基材５１の第２主面５１Ｂに塗布されている。第２主面５１Ｂは、第１主面５１Ａから厚さ方向７に、第１基材５１の厚さ分だけ離間する面である。粘着剤５２の粘着力は、粘着剤５４の粘着力よりも強い。粘着剤５２は、衣類等への貼り付けが可能な程度の粘着力を有する。粘着剤５２は、本発明の第１接着層の一例である。第２主面５１Ｂは、本発明の第２主面の一例である。
【００３９】
第１基材５１及び粘着剤５２にはスリッター５６が形成されている。スリッター５６は、厚さ方向７からの平面視で第１画像５Ａ及び第２画像５Ｂを囲むような形状（例えば円形）を有する。第１基材５１において、スリッター５６の内側の部分は、第１画像５Ａ及び第２画像５Ｂが印刷された印刷部５１Ｃとして使用される。
【００４０】
セパレータ５３は、剥離紙等である。セパレータ５３の第１主面５３Ａ及び第２主面５３Ｂにはケイ素樹脂等が塗布されている。これにより、第１主面５３Ａ及び第２主面５３Ｂは、粘着剤５２、５４に対する剥離性を有する。シール５の配布時、第１主面５３Ａ及び第２主面５３Ｂには、粘着剤５２、５４が接着している。第１主面５３Ａ及び第２主面５３Ｂは、本発明の一方面及び他方面の一例である。
【００４１】
粘着剤５４及び第２基材５５は、例えばアートリベールである。
【００４２】
粘着剤５４は、第２基材５５の第１主面５５Ａに塗布されている。粘着剤５４は、第２基材５５が第１基材５１に貼り付けられた場合に、人が第２基材５５を第１基材５１から簡単に剥がすことが可能な程度の粘着力を有する。粘着剤５４は、本発明の第２接着層の一例である。第１主面５５Ａは、本発明の第４主面の一例である。
【００４３】
第２基材５５は、紙又は樹脂製のフィルム等で構成できる。第２基材５５の第２主面５５Ｂには、カラー印刷、オフセット印刷、オフセット印刷等により、文字列を印刷することが可能である。第２主面５５Ｂは、第１主面５５Ａから厚さ方向７に、第２基材５５の厚さ分だけ離間する面である。第２主面５５Ｂは、不透明に着色されている。本実施形態では、第１基材５１に印刷された第１画像５Ａ及び第２画像５Ｂを第２基材５５で覆うことが可能である。これを保護者に知らせるため、第２主面５５Ｂには、「第１画像５Ａ等の保護シールとしてお使いください」という文字列が印刷される（図５（Ｃ）参照）。なお、第２主面５５Ｂは、本発明の第３主面の一例である。
【００４４】
第２基材５５及び粘着剤５４にはスリッター５７が形成されている。スリッター５７は、厚さ方向７からの平面視でスリッター５６と同じ形状である。第２基材５５においてスリッター５７の内側の部分は、被覆部５５Ｃとして使用される。被覆部５５Ｃは、印刷部５１Ｃを被覆する。
【００４５】
保護者は、個人情報を登録を行う。保護者は、シール５の第１画像５Ａを撮影するために、情報処理装置２の操作表示部２２を操作する。この操作に応答して、制御部２４は、シール５の第１画像５Ａを画像入力部２３に読み取らせる（図５のＳ１１）。画像入力部２３は、第１画像５Ａを表す画像データを制御部２４に送信する。制御部２４は、画像データに符号化方式に従ってデコード処理を実行して特定情報１Ａを取得する（Ｓ１２）。次に、制御部２４は、Ｓ１２で取得された特定情報１Ａを通信部２１からサーバ装置１に送信し、サーバ装置１にアクセスする（Ｓ１３）。
【００４６】
サーバ装置１において、制御部１３は、所定情報の入力画面６１を示す画像データを通信部１２を通じて情報処理装置２に送信する（Ｓ１４）。
【００４７】
情報処理装置２において、制御部２４は、画像データの受信後に、入力画面６１（図６（Ａ）参照）を操作表示部２２に表示する（Ｓ１５）。保護者は、入力画面６１を参照しつつ、所定情報を入力欄６１Ａから６１Ｅに入力するために操作表示部２２を操作する。ここで、所定情報は、シール５に印刷された第２画像５Ｂが示す対応情報１１２、及び個人情報１１１である。この操作により、制御部２４は、所定情報を取得する（Ｓ１６）。制御部２４は、所定情報を通信部２１を通じてサーバ装置１に送信する（Ｓ１７）。
【００４８】
サーバ装置１において、制御部１３は、通信部１２を通じて所定情報を受信した後、記憶部１１において、対応情報１１２に対応する記憶領域に、個人情報１１１、即ち、個人の名前１１１Ａ，要連絡者の名前１１１Ｂ、電話番号１１１Ｃ、及び電子メールアドレス１１１Ｄを格納する（Ｓ１８）。
【００４９】
保護者は更に、被覆部５５Ｃ（図４参照）をセパレータ５３から剥がして印刷部５１Ｃ上に貼り付ける。保護者は更に、印刷部５１Ｃをセパレータ５３から剥がして、子供の着衣の胸の部分等に貼り付ける。その後、子供は、公園やテーマパークなどに出かける。
【００５０】
次に、子供が外出先で迷子になった場合における迷子等通報システム１００の動作について説明する。迷子の発見者は、迷子にシール５が貼り付けてあることを見つけると、被覆部５５Ｃを剥がして、印刷部５１Ｃに印刷されている第１画像５Ａ及び第２画像５Ｂを視認可能な状態にする。
【００５１】
発見者は、第１画像５Ａを撮影するために情報処理装置３の操作表示部３２を操作する。この操作に応答して、制御部３４は、第１画像５Ａ（図４（Ｂ）参照）を画像入力部３３に読み取らせる（図７のＳ２１）。Ｓ２１により、制御部３４は、画像入力部３３から第１画像５Ａを表す画像データを取得する。制御部３４は、画像データにデコード処理を実行することで、画像データが示す第１画像５Ａから特定情報１Ａ（図２参照）を取得する（Ｓ２２）。次に、制御部２４は、Ｓ２２で取得された特定情報１Ａを通信部２１からサーバ装置１に送信し、サーバ装置１にアクセスする（Ｓ２３）。制御部３４は、本発明における第２制御部の一例であり、Ｓ２１、Ｓ２２、Ｓ２３は、本発明における読み取り処理、取得処理及びアクセス処理の一例である。
【００５２】
サーバ装置１において、制御部１３は、対応情報１１２の入力画面６２を示す画像データを通信部１２を通じて情報処理装置３に送信する（Ｓ２４）。
【００５３】
情報処理装置３において、制御部３４は、画像データの受信後に、入力画面６２（図６（Ｂ）参照）を操作表示部３２に表示する（Ｓ２５）。発見者は、入力画面６２の表示後に、シール５（図４参照）に印刷されている第２画像５Ｂが示す対応情報１１２を入力欄６２Ａに入力するために操作表示部２２を操作する。この操作により、制御部３４は、対応情報１１２を取得し（Ｓ２６）、対応情報１１２を通信部３１を通じてサーバ装置１に送信する（Ｓ２７）。
【００５４】
サーバ装置１において、制御部１３は、通信部１２を通じて対応情報１１２を受信し、その後、制御部１３は、記憶部１１から、対応情報１１２に対応する個人情報１１１を読み出す（Ｓ２８）。制御部１３は、電子メールアドレス１１１Ｄ宛てに、子供が迷子になっている事実を本文に示した電子メールを通信部１２を通じて情報処理装置３に送信する（Ｓ２９）。保護者は、自分の子供が迷子になっている事実を、情報処理装置２の操作表示部２２に表示される電子メールにより認識する事が可能となる。制御部１３は、Ｓ２８で読み出された個人情報１１１（但し、電子メールアドレス１１１Ｄを除く）を含む通報画面６３（図６（Ｃ）参照）を示す画像データを通信部１２を通じて情報処理装置３に送信する（Ｓ２１０）。なお、制御部１３は、本発明における第１制御部の一例である。なお、Ｓ２８、Ｓ２９、Ｓ２１０は、本発明における読み出し処理、第２送信処理、及び第１送信処理の一例である。
【００５５】
情報処理装置３において、制御部３４は、Ｓ２１０で送信された画像データの受信後に、通報画面６３を操作表示部３２に表示する（Ｓ２１１）。発見者は、通報画面６３の表示後に、通報画面６３に表示される電話番号１１１Ｃに発呼するために操作表示部３２を操作する。情報処理装置３において、制御部３４は、電話番号１１１Ｃ宛てに発呼する（Ｓ２１２）。発見者は、情報処理装置２との呼接続の後、音声入力部３５及び音声出力部３６を通じて保護者と会話し、子供が迷子になっている事実を通報する。制御部３４は、発見者の音声を示す音声信号を電話通信部３７を通じて情報処理装置２に送信する（Ｓ２１３）。これにより、保護者は、自分の子供が迷子になっている事実を、情報処理装置２の音声出力部２６を通じて認識する事が可能となる。
【００５６】
［迷子等通報システム１００の効果］
迷子等通報システム１００によれば、個人に貼付されるシール５には、特定情報１Ａをコード化した第１画像５Ａが印刷される。そのため、個人の周囲にいる者がシール５を見ただけで個人情報を認識することができない。情報処理装置３は、このような第１画像５Ａに基づいて、個人の保護者が使用する電話番号に発呼できる。そのため、シール５が貼付された個人が迷子等になった場合には、個人情報の漏洩を防止しつつ、その事実を保護者に安全に情報処理装置３は通報することができる。
【００５７】
また、迷子等通報システム１００によれば、サーバ装置１は、情報処理装置２宛てに、シール５が貼り付けられた個人が迷子等になっている事実を示す電子メールを送信する。これにより、シール５が貼付された個人が迷子等になった事実を保護者により確実に情報処理装置３は通報することができる。
【００５８】
［変形例］
なお、上記実施形態では、図７のＳ２１２において、情報処理装置３が情報処理装置２に対して発呼処理を実行していた。しかし，これに限らず、図８に示されるように、サーバ装置１の制御部１３が、Ｓ２９の次に情報処理装置２に発呼を行って（Ｓ２１４）、シール５が貼付された個人が迷子等になった事実を示す合成音声信号を生成して、情報処理装置２に送信する（Ｓ２１５）。このように、サーバ装置１は、自動音声案内により迷子等の事実を保護者に通報する。なお、この場合、情報処理装置３は、Ｓ２１１、Ｓ２１２に相当する処理を実行する必要はない。
【００５９】
また、上記実施形態では、特定情報１Ａだけがコード化されて第１画像５Ａが生成され、第１基材５１には、第１画像５Ａに加え、対応情報１１２を表す第２画像５Ｂが印刷されていた。しかし、これに限らず、図９に示されるように、特定情報１Ａ及び対応情報１１２をまとめてコード化することで第１画像５Ａが生成され、第１基材５１には、第１画像５Ａのみが印刷されてもよい。これにより、シール５の外観が簡素化される。この場合、迷子等通報システム１００では、図７の処理に代えて、図１０の処理が実行される。なお、以下では、上記実施形態との相違点についてのみ説明する。
【００６０】
情報処理装置３において、制御部３４は、図１０のＳ２１で画像入力部３３から取得した画像データにデコード処理を実行することで、画像データが示す第１画像５Ａから特定情報１Ａ及び対応情報１１２を取得する（Ｓ３１）。制御部２４は、Ｓ２３でサーバ装置１にアクセスした後、Ｓ３１で取得された対応情報１１２をサーバ装置１に送信する（Ｓ３２）。なお、Ｓ３１は、本発明における取得処理の他の一例である。
【００６１】
サーバ装置１において、制御部１３は、Ｓ３２で送信された対応情報１１２を通信部１２を通じて受信し（Ｓ３３）、その後、記憶部１１から、対応情報１１２に対応する個人情報１１１を読み出す（Ｓ３４）。制御部１３は、電話番号１１１Ｃ宛てに発呼し（Ｓ３５）、シール５が貼付された個人が迷子等になった事実を示す合成音声信号を生成して、情報処理装置２に送信する（Ｓ３６）。このように、サーバ装置１は、自動音声案内により、情報処理装置２を使用する保護者に対して、子供が迷子になっている事実を電話通信部１４を通じて通報する。これにより、保護者は、自分の子供が迷子になっている事実を、情報処理装置２の音声出力部２６を通じて認識する事が可能となる。
【００６２】
また、上記実施形態では、シール５の印刷部５１Ｃには、第１画像５Ａ及び第２画像５Ｂが印刷され（図４（Ｂ）参照）、被覆部５５Ｃには、「第１画像５Ａ等の保護シールとしてお使いください」という文字列が印刷されていた（図４（Ｃ）参照）。しかし、これに限らず、シール５は、図１１に示される形態であってもよい。具体的には、図１１（Ａ）に示されるように、印刷部５１Ｃには、個人の名前１１１Ａ及び電話番号１１１Ｃが印刷される。また、図１１（Ｂ）に示されるように、第２主面５５Ｂにおいて被覆部５５Ｃの周囲の部分に、「第１画像５Ａ等の保護シールとしてお使いください」という文字列が印刷されていてもよい。
【００６３】
図１１に示されるシール５は、図４に示されるシール５とは異なり、迷子等通報システム１００の構成である必要は無い。即ち、図１１のシール５は、迷子等通報システム１００とは独立して、迷子等の通報時に使用される。
【００６４】
図１１のシール５では、第１主面５１Ａに印刷部５１Ｃが設けられ、第２主面５５Ｂには被覆部５５Ｃが設けられる。即ち、印刷部５１Ｃ及び被覆部５５Ｃは厚さ方向７において並ぶ。そのため、印刷部５１Ｃ及び被覆部５５Ｃが縦方向８又は横方向９に並べられる場合と比較して、縦方向８又は横方向９におけるシール５のサイズを小型化できる。これにより、シール５の使用後に生じるゴミ（即ち、セパレータ５３等）の量を減らすことができる。この点に関しては、図４に示されるシール５においても同様である。
【符号の説明】
【００６５】
１００・・・迷子等通報システム
１・・・サーバ装置
１１・・・記憶部
１２・・・通信部
１３・・・制御部
１４・・・電話通信部
２、３・・・情報処理装置
２１、３１・・・通信部
２２、３２・・・操作表示部
２３、３３・・・画像入力部
２４、３４・・・制御部
２５、３５・・・音声入力部
２６、３６・・・音声出力部
２７、３７・・・電話通信部
【図１】
2020184731.tif 000003
【図２】
2020184731.tif 000004
【図３】
2020184731.tif 000005
【図４】
2020184731.tif 000006
【図５】
2020184731.tif 000007
【図６】
2020184731.tif 000008
【図７】
2020184731.tif 000009
【図８】
2020184731.tif 000010
【図９】
2020184731.tif 000011
【図１０】
2020184731.tif 000012
【図１１】
2020184731.tif 000013